(57)【特許請求の範囲】
【請求項１】
釣り用疑似餌の異なる部位を、又は前記釣り用疑似餌と付属部品とを連結するために用いられる疑似餌用連結具であって、
前記疑似餌又は前記付属部品に刺し込まれる一対の針状部と、
前記一対の針状部の基端部を連結するヒンジ部と、
を備え、
前記針状部が前記疑似餌及び前記付属部品より硬い硬質樹脂からなり、前記ヒンジ部がエラストマーからなる疑似餌用連結具。
【請求項２】
前記ヒンジ部が、前記針状部の基端部に連結される一対の連結部と、前記一対の連結部に架け渡される架橋部とを備える請求項１に記載の疑似餌用連結具。
【請求項３】
前記架橋部は、棒状をなす請求項２に記載の疑似餌用連結具。
【請求項４】
前記架橋部は、蛇行形状をなす請求項２に記載の疑似餌用連結具。
【請求項５】
前記一対の連結部及び前記一対の架橋部がＯ字状に形成されている請求項２に記載の疑似餌用連結具。
【請求項６】
請求項１から請求項５のいずれか１項に記載の疑似餌用連結具を用いて異なる部位を連結している疑似餌。
【発明の詳細な説明】
【技術分野】
【０００１】
この発明は、釣用疑似餌に用いる連結具及び当該連結具を用いた釣用疑似餌に関する。
【背景技術】
【０００２】
従来、虫や小魚を模して軟質樹脂により形成された釣用疑似餌が広く用いられている。かかる釣用疑似餌は、生きたミミズ等と同様に釣針を直接疑似餌本体に突き刺して使用するため釣針を突き刺した箇所から千切れて破損してしまうという問題が有った。
【０００３】
そこで、ワームルアー（軟質樹脂製の疑似餌）のヘッド部を補強するロッド状の補強部材が提案されている（特許文献１及び特許文献２参照）。この補強部材は、ロッド先端が先鋭形状をなし、ヘッド先端部からワームルアーの長手方向に突き刺してワームルアーのヘッド先端部を補強することが出来る他、裂けてしまったワームルアーを補修するためにも用いることができる。
【先行技術文献】
【特許文献】
【０００４】
【特許文献１】国際公開第２０１１／０３３８２５号公報
【特許文献２】特開２００８−１６７７５４号公報
【発明の概要】
【発明が解決しようとする課題】
【０００５】
しかし、特許文献１及び特許文献２に係る補強部材は、先端部でワームルアーが破断した場合は、先端側から前後２つの部分を突き刺して連結することが可能であるが、先端側から後方に離れた位置でワームルアーが破断した場合、先端側から補強部材を突き刺しても破断部分に補強部材が届かないという問題が有った。
【０００６】
本発明は、上記課題に鑑みてなされたものであり、補修可能な破断部位が従来の補強部材より格段に広い疑似餌用連結具及び当該連結具を用いた疑似餌の提供を目的とする。
【課題を解決するための手段】
【０００７】
上記課題を解決するためになされた発明は、釣り用疑似餌の異なる部位を、又は前記釣り用疑似餌と付属部品とを連結するために用いられる疑似餌用連結具であって、前記疑似餌又は前記付属部品に刺し込まれる一対の針状部と、前記一対の針状部の基端部を連結するヒンジ部と、を備え、前記針状部が前記疑似餌及び前記付属部品より硬い硬質樹脂からなり、前記ヒンジ部がエラストマーからなることを特徴とする。
【０００８】
本発明に係る疑似餌用連結具では、疑似餌又は付属部品に刺し込まれる一対の針状部と、前記一対の針状部の基端部を連結するヒンジ部とを備えるため、例えば、疑似餌が２つの破断片に断裂した場合に、一対の針状部のうち一の針状部を一方の破断片に差し込み、他の針状部を他方の破断片に差し込むことで、２つに断裂した疑似餌本体を連結することができる。又、一の針状部を疑似餌に差し込み、他の針状部を別途独立して形成されたテール等の付属部品に差し込むことで、疑似餌本体と付属部品とを連結することができる。
【０００９】
そして、本発明の疑似餌用連結具は、前記針状部を硬質樹脂とすることで針状部が疑似餌に突き刺しやくなり、ヒンジ部をエラストマーとすることで、疑似用連結具で連結した部材が互いに揺動可能となる。
【００１０】
前記ヒンジ部が、前記針状部の基端部と連結する一対の連結部と、前記一対の連結部を連結する架橋部とを備えることが好ましい。こうすることで、針状部とヒンジ部とを別の材料で形成して連結することが容易となる。
【００１１】
前記架橋部は、棒状をなすことが好ましい。こうすることで、当該疑似餌用連結具で前後に連結した後側の部材を前側の部材に対し、前後左右何れの方向にも揺動することができる。
【００１２】
前記架橋部は、蛇行形状をなすことが好ましい。これにより、当該疑似餌用連結具で前後に連結した後側の部材が前側の部材に対し接離するように揺動させることができる。
【００１３】
前記一対の連結部及び前記一対の架橋部がＯ字状に形成されていることが好ましい。こうすることで、当該疑似餌用連結具で連結した前後の部材の後側の部材を、前側の部材に対し一対の架橋部を含む面に垂直な方向へ揺動させることができる。
【００１４】
本発明は、本発明に係る疑似餌用連結具を用いて異なる部位を連結している疑似餌を含む。
【００１５】
ここで、「釣用疑似餌の異なる部位」とは、複数の破断片に破断した疑似餌のうちの異なる破断片や、複数の切断片に切断した疑似餌のうちの異なる切断片の他、破断していない疑似餌の異なる部位をも含むものとする。また、「付属部品」とは、疑似餌に連結するために独立して形成された部品の他、連結する疑似餌と異なる疑似餌又は異なる疑似餌から切断された一部をも含むものとする。
【発明の効果】
【００１６】
以上説明したように、本発明の疑似餌用連結具によれば、疑似餌が破断した際に補修可能な範囲を格段に広げることができる。
【図面の簡単な説明】
【００１７】
【図１】本発明に係る疑似餌用連結具を示す斜視図である。
【図２】本発明の疑似餌用連結具で疑似餌を補修する様子を示した説明図である。
【図３】本発明に係る疑似餌用連結具を用いて補修した疑似餌である。
【図４】（ａ）及び（ｂ）は、本発明の疑似餌用連結具を用いて疑似餌を改造する様子を示した説明図であり、（ｃ）は、本発明の疑似餌用連結具を用いて改造又は形成した疑似餌である。
【発明を実施するための形態】
【００１８】
以下、適宜図面を参照しながら、本発明の実施形態について詳述する。本発明の疑似餌用連結具は、ソフトルアーと称される軟質性樹脂からなる釣用疑似餌の破断片と破断片とを連結して疑似餌を補修したり、疑似餌に付属部品を連結して疑似餌を改造したり、形成したりするために用いられる。本発明の疑似餌用連結具が使用可能な疑似餌や付属部品の材質としては、後述する針状部に用いられる材質より柔らかいものであれば特に限定されず、天然ゴムやシリコンゴム、合成ゴム、各種のエラストマー樹脂（スチレン系、オレフィン系、塩化ビニル系、ウレタン系、ポリエステル系、ポリアミド系、フッ素系等のエラストマー樹脂）等の軟質樹脂を挙げることができる。
尚、本発明は、以下の実施形態に限られるものではない。
【００１９】
（第１実施形態）
図１（ａ）は、本発明の第１実施形態に係る疑似餌用連結具１０である。疑似餌用連結具１０は、先端が先鋭状に形成された一対の針状部１，１と、一対の針状部１，１の基端部１ａを連結するヒンジ部２とを主に備えている。
【００２０】
針状部１は、硬質樹脂により一体成型され、先端が円錐状に尖った丸棒状の幹部３と、幹部３の側面から枝分かれする前後２対４本の抜け止め枝４とを備えている。抜け止め枝４は、幹部３の先端側から基端側に向かって外方へ広がるように、幹部３の側面から幹部３について対称に延出している。
【００２１】
針状部１に用い得る硬質樹脂としては、連結する疑似餌より硬い樹脂であれば特に限定されず、例えばポリプロピレン、ポリカーボネート、ポリアミド、ポリアセタール、ポリブチレンテレフタレート等の熱可塑性樹脂や、これらの樹脂をガラス繊維や炭素繊維などで強化した熱可塑性樹脂を挙げることができる。
ただし、針状部１として、金属や木、ガラス等、樹脂以外の公知の硬質材料を用いることもできる。
【００２２】
ヒンジ部２は、図１（ａ）に示すように、針状部１の基端部１ａと嵌合する一対の連結部２ａ，２ａ、及び一対の連結部２ａ，２ａを連結する棒状の架橋部２ｂを備えている。
連結部２は、針状部１側から架橋部２ｂ側へ向かって徐々に縮径する円錐状をなし、ヒンジ部２は、一対の円錐状の連結部２ａの頂点どうしを丸棒状の架橋部２ｂで連結した砂時計状の形状をなしている。針状部１及びヒンジ部２は、図１（ａ）に破線で示すような抜け止め手段を有する突起１ｂを連結部２ａの嵌合孔に嵌合させることにより、抜脱不能に嵌合されている。
尚、針状部１の嵌合用突起１ｂ及びヒンジ部２の嵌合孔は、図示の形状に限らず、公知の形状を適宜用いることができる。
【００２３】
（第２実施形態）
図１（ｂ）は、本発明の第２実施形態に係る疑似餌用連結具２０を示している。疑似餌用連結具２０は、第１実施形態と異なる形状を有する針状部２１と第１実施形態と共通するヒンジ部２とを備えている。
【００２４】
針状部２１は、第１実施形態の針状部１と基本形状は略同じであるが、幹部２３及び抜け止め枝２４が角棒状をなしている。片側の針状部２１に２対設けられる抜け止め枝２４のうち基端側の抜け止め枝２４の位置で基端側から先端側に向かって先端側が細くなるよう先鋭状の段差２３ａが形成されている。
【００２５】
（第３実施形態）
図１（ｃ）は、本発明の第３実施形態に係る疑似餌用連結具３０を示している。疑似餌用連結具３０は、針状部３１及びヒンジ部３２とも第１及び第２実施形態と異なる形状を有する。
針状部３１は、幹部３３が、第２実施形態の針状部２１における幹部２３の先端側の抜け止め枝２４より先端が短く形成されている。
【００２６】
ヒンジ部３２は、針状部３１の基端部３１ａと嵌合する一対の連結部３２ａ，３２ａと、一対の連結部３２ａ，３２ａを連結する蛇行形状の架橋部３２ｂとを備えている。架橋部３２ｂは、図１（ｃ）に示したＳ字形状の他、Ｍ字形状等湾曲部が３以上有する蛇行形状に形成してもよい。ヒンジ部３２ｂを蛇行形状とすることにより、疑似餌用連結具３０で前後に連結した後側の部材を、前側の部材に対し接離するように揺動させることができる。
【００２７】
（第４実施形態）
図１（ｄ）は、本発明の第４実施形態に係る疑似餌用連結具４０を示している。疑似餌用連結具４０は、３第実施形態と共通する針状部３１と、異なるヒンジ部４２とを備えている。
【００２８】
ヒンジ部４２は、針状部３１の基端部３１ａと嵌合する一対の連結部４２ａ，４２ａと一対の連結部４２ａ，４２ａを連結する一対の湾曲形状の架橋部４２ｂとを備えている。一対の連結部４２ａ，４２ａ及び一対の架橋部４２ｂ，４２ｂとで略Ｏ字形状をなしており、これにより、疑似餌用連結具４０で前後に連結した後側の部材を、前側の部材に対し一対の架橋部４２ｂ，４２ｂを含む面に対し垂直な方向へ揺動させることができる。
【００２９】
（第５実施形態）
図１（ｅ）に示した、本発明の第５実施形態に係る疑似餌用連結具５０は、金属製のコイル状針からなる針状部５１と、第１実施形態と略同形状のヒンジ部２とを備えている。このように、針状部がコイル状針からなることで、疑似餌にコイル針を刺し込みやすくすることができる。
【００３０】
次に、本発明の疑似餌用連結具１０を用いて、疑似餌を補修する方法及び改造する方法について説明する。図２は、前側部分Ａ１と後側部分Ａ２の２つに破断した軟質樹脂からなる疑似餌Ａを補修する様子を示している。図２に示すように、疑似餌Ａを補修する場合は、前側部分Ａ１の破断面Ａ１１に、疑似餌用連結具１０の一側の針状部１を差し込み、後側部分Ａ２の破断面Ａ２１に他側の針状部１を差し込んで、前側部分Ａ１及び後側部分Ａ２を連結する。
【００３１】
図３に、疑似餌用連結具１０で補修した各種の疑似餌を示す。このように疑似餌用連結具１０を用いることで、各種形状の疑似餌の多様な場所において破断部を連結して疑似餌を補修することができる。
【００３２】
また、図４は、疑似餌用連結具１０を疑似餌の改造に用いる様子を示している。疑似餌を改造する場合、例えば、図４（ａ）に破線で示すように、まず疑似餌Ｂを前側部分Ｂ１と後側部分Ｂ２とにカッター等で切断し、図４（ｂ）に示すように、前側部分Ｂ１の切断面Ｂ１１に、疑似餌用連結具の一側の針状部１を差し込み、後側部分Ｂ２の切断面Ｂ２１に他側の針状部１を差し込んで、前側部分Ｂ１及び後側部分Ｂ２を連結する。図４（ｃ）に示したように、後側部分Ｂ２を他の疑似餌の後側部分（付属部品）Ｂ３と交換してもよい。
また、前側部分Ｂ１又は後側部分Ｂ２の一方を破断した疑似餌の破断片と交換して疑似餌Ｂを改造することもできるし、独立して形成されたブレードやテール等の付属部品Ｂ３と交換してもよい。
【００３３】
また、本発明は、図４（ｂ）乃至（ｅ）に示したような、本発明の疑似餌用連結具で連結した疑似餌を含むものである。
【００３４】
本発明の疑似餌及び疑似餌用連結具は、上記の実施形態に限られるものではなく、例えば、上述した全ての実施形態において、針状部とヒンジ部とを交換した全ての組み合わせを含む。疑似餌用連結具の針状部及びヒンジ部並びに疑似餌は、本発明の趣旨を逸脱しない範囲において全ての公知の形状を含むものである。
【産業上の利用可能性】
【００３５】
本発明の疑似餌用連結具は、軟質性の材料からなる各種の疑似餌の補修や改造を可能にし、本発明の疑似餌は、各種形状の疑似餌を前後に分断して本発明の疑似餌用連結具で連結することにより、疑似餌の形状をバラエティに富んだ形状とすることができるため、各種の疑似餌に好適に用いることができる。
【符号の説明】
【００３６】
１０，２０，３０，４０，５０  疑似餌用連結具
１，２１，３１，５１  針状部
１ａ，２１ａ，３１ａ  基端部
２，３２，４２  ヒンジ部
２ａ，３２ａ，４２ａ  連結部
２ｂ，３２ｂ，４２ｂ  架橋部
Ａ，Ｂ  疑似餌
Ｂ３  付属部品
１００，２００，３００，４００  疑似餌
【図１】
0005943728.tif 000002
【図２】
0005943728.tif 000003
【図３】
0005943728.tif 000004
【図４】
0005943728.tif 000005